(57)【要約】【課題】土台と大引き、土台と柱などの各部材間の位置決めと接合等を容易に行うことができて、土台周辺部位に要求される構造、施工、熱環境および品質等の条件を満足させた木造建築物の床・軸組構造、床組構造および組構造提供する。【解決手段】布基礎１上に敷設された土台２に大引き３、柱４および筋違い５をそれぞれ接合する。土台２は布基礎１に固定されたフランジ２ａと当該フランジ２ａに突設されたウェブ２ｂとから断面逆Ｔ形状に形成する。大引き３は断面Ｈ形状に形成する。大引き３のフランジ２ａを土台２のフランジ２ａにボルト接合する。柱４は木材から形成する。柱４の下端部に形成されたスリット４ａに土台２のウェブ２ｂを挿入する。筋かい５は木材から形成する。筋かい５の下端部を土台２のウェブ２ｂに釘または木ねじで接合する。【選択図】図１
2007303133.tif 000002
【特許請求の範囲】
【請求項１】
基礎上に敷設された土台と当該土台に接合された大引き、柱および筋違いを有し、前記土台は前記基礎に固定されたフランジと当該フランジに突設されたウェブとから断面逆Ｔ形状に形成され、前記大引きは断面Ｈ形状に形成され、当該大引きの下フランジが前記土台のフランジにボルト接合され、前記柱は木材から形成され、当該柱の下端部に形成されたスリットに前記土台のウェブが挿入され、前記筋かいは木材から形成され、当該筋かいの下端部が前記土台のウェブに釘または木ねじによって接合されてなることを特徴とする木造建築物の床・軸組構造。
【請求項２】
大引きの下フランジは土台のフランジに上向きに突設された接合ボルトと当該接合ボルトに螺合された接合ナットによって接合されてなることを特徴とする請求項１記載の木造建築物の床・軸組構造。
【請求項３】
柱の下端部は、当該柱の下端部と土台のウェブを貫通する接合ピンによって接合されてなることを特徴とする請求項１または２記載の木造建築物の床・軸組構造。
【請求項４】
大引きの外周に断熱材が取り付けられてなることを特徴とする請求項１〜３のいずれかに記載の木造建築物の床・軸組構造。
【請求項５】
基礎上に敷設された土台と当該土台に接合された大引きとを有し、前記土台は前記基礎に固定されたフランジと当該フランジに突設されウェブとから断面逆Ｔ形状に形成され、前記大引きは断面Ｈ形状に形成され、当該大引きの下フランジは土台のフランジにボルト接合されてなることを特徴とする木造建築物の床組構造。
【請求項６】
基礎上に敷設された土台と当該土台に接合された柱および筋違いを有し、前記土台は前記基礎に固定されたフランジと当該フランジに突設されたウェブとから断面逆Ｔ形状に形成され、前記柱は木材から形成され、当該柱の下端部に形成されたスリットに前記土台のウェブが挿入され、前記筋かいは木材から形成され、当該筋かいの下端部が前記土台のウェブに釘または木ネジによって接合されてなることを特徴とする木造建築物の軸組構造。
【発明の詳細な説明】
【技術分野】
【０００１】
本発明は、木造建築物の床・軸組構造、床組構造および組構造に関し、土台と大引き、土台と柱などの各部材間の位置決めと接合等を容易に行えるようにして、土台周辺部位に要求される構造、施工、熱環境および品質等の条件を満足させた木造建築物を提供するものである。
【背景技術】
【０００２】
図５（ａ）〜（ｄ）は、一般的な木造住宅の床組と軸組を示し、図示するように、木造建築物の床組はコンクリート基礎２０の上に土台２１を敷設し、土台２１，２１間に大引き２２を架け渡し、さらに土台２１と土台２１との仕口部および土台２１と大引き２２との仕口部に火打土台（図省略）を取り付けて構成されている。
【０００３】
また、壁の軸組は土台２１の上に柱２３と間柱２４を一定の間隔で建て付け、当該柱２３と柱２３との間に梁２５を架け渡し、さらに土台２１と柱２３と梁２５とからなる架構内に筋違い２６を斜めに架け渡して構成されている。
【０００４】
ところで、従来、土台２１や柱２３などの構造材には、杉などからなる角材が用いられ、また土台２１などの各部材間の接合にはほぞ継ぎや蟻継ぎ等といった古くから伝わる各種の継手が用いられ、必要に応じて補強金具も使用されている。
【０００５】
さらに、最近では土台に鋼材が用いられており、例えば図６（ａ）の例では、土台２１にアルミ形材が併用され（特許文献１）、また図６（ｂ）の例では、土台２１に溝型鋼が用いられている（特許文献２）。
【０００６】
【特許文献１】特開２００５−３０７５６６号公報
【特許文献２】特開２００２−２６６４５６号公報
【発明の開示】
【発明が解決しようとする課題】
【０００７】
しかし、土台や大引き、柱などの構造材にすべて木材が使用されると、永年の経過とともに乾燥収縮やねじれ、反り、割れ等の形状変化や白蟻などの害虫被害を被るおそれがあるだけでなく、木材そのものの腐朽が懸念され、さらに継手の加工には高度の熟練を必要とする等の課題がある。
【０００８】
また特に、図６（ａ）に図示する土台は、単にアルミ形材が木材と併用して用いられているだけで、土台２１の上部分２１ａには木材が依然として用いられているため、柱２４側からの圧縮力に対するめり込み強度不足や木材の経年変化による乾燥収縮などの問題は依然として解消されていない。
【０００９】
また、図６（ｂ）に図示する土台は、２本の溝形鋼を背合わせに抱き合わせて断面形状が線対称に形成され、鉛直に突設されたボルト２１ｂを介して柱２４の下端部を土台２１に接合することで、柱２４側からの応力を基礎２０に伝達する機構になっているが、大引き等との接合方法や接合のための位置決め等の施工方法に配慮が乏しい。また、鋼材は熱伝導率が高いので断熱性にも配慮しないと快適な居住環境は確保できない。
【００１０】
本発明は、以上の課題を解決するためになされたもので、各部材間の位置決めと接合等を容易に行えるようにして、土台周辺部位に要求される構造、施工、熱環境および品質等の条件を満足させることのできる木造建築物の床・軸組構造、床組構造及び軸組構造を提供することを目的とする。
【課題を解決するための手段】
【００１１】
請求項１記載の木造建築物の床・軸組構造は、基礎上に敷設された土台と当該土台にそれぞれ接合された大引き、柱および筋違いを有し、前記土台は前記基礎に固定されたフランジと当該フランジに突設されたウェブとから断面逆Ｔ形状に形成され、前記大引きは断面Ｈ形状に形成され、当該大引きの下フランジが前記土台のフランジにボルト接合され、前記柱は木材から形成され、当該柱の下端部に形成されたスリットに前記土台のウェブが挿入され、前記筋かいは木材から形成され、当該筋かいの下端部は前記土台のウェブに釘または木ねじによって接合されてなることを特徴とするものである。
【００１２】
本発明は、土台として基礎に固定されたフランジと当該フランジに突設されたウェブとから断面逆Ｔ形状に形成された鋼材を用い、当該土台のウェブに柱および筋違いの下端部をそれぞれ接合することで、柱と筋かいの位置決めと接合を容易にして土台周辺部位に要求される構造および施工上の条件を満たした木造建築物を提供するものである。
【００１３】
この場合、土台と基礎の対称軸が同一鉛直面内で重なるように土台を基礎の上に設置し、かつ土台の対称軸上を基礎に固定することにより、柱や筋違いからの引き抜き力や圧縮力による過大な偏心モーメントの発生を防止することができる。
【００１４】
なお、土台にはＴ形鋼、Ｈ形鋼をウェブのほぼ中間で切断してＴ形に形成したもの、あるいは２枚の帯鋼を溶接してＴ形状に形成したもの等を用いることができる。
【００１５】
請求項２記載の木造建築物の床・軸組構造は、請求項１記載の木造建築物の床・軸組構造において、大引きの下フランジは土台のフランジに固定ボルトと固定ナットによって接合されてなることを特徴とするものである。
【００１６】
この場合の接合ボルトは、土台のフランジに当該フランジに形成した貫通孔に上向きに貫通させて取り付け、固定ナットを締め付けることにより脱落しないように後付けすることができる。
【００１７】
請求項３記載の木造建築物の床・軸組構造は、請求項１または２記載の木造建築物の床・軸組構造において、柱の下端部は当該柱の下端部と土台のウェブを貫通する接合ピンによって接合されてなることを特徴とするものである。接合ピンにはボルトまたはドリフトピン等をもちいることができる。
【００１８】
請求項４記載の木造建築物の床・軸組構造は、請求項１〜３のいずれかに記載の木造建築物の床・軸組構造において、大引きの外周に断熱材が取り付けてあることを特徴とするものである。
【００１９】
本発明は、大引きに鋼材を用いたことで問題になる熱橋（ヒートブリッジ）の問題も解消するもので、特にこの問題が顕著な根太レス形式の床組構造に適している。なお、この場合の断熱材には硬質プラスチック系の断熱材を用いることができる。
【００２０】
請求項５記載の木造建築物の床組構造は、基礎上に敷設された土台と当該土台に接合された大引きとを有し、前記土台は前記基礎に固定されたフランジと当該フランジに突設されウェブとから断面逆Ｔ形状に形成され、前記大引きは断面Ｈ形状に形成され、かつ前記土台のフランジに下フランジがボルト接合されてなることを特徴とするものである。
【００２１】
請求項６記載の木造建築物の軸組構造は、基礎上に敷設された土台と当該土台に接合された柱および筋違いを有し、前記土台は前記基礎に固定されたフランジと当該フランジに突設されたウェブとから断面逆Ｔ形状に形成され、前記柱は木材から形成され、当該柱の下端部に形成されたスリットに前記土台のウェブが挿入され、前記筋かいは木材から形成され、当該筋違いの下端部は前記土台のウェブに釘または木ねじによって接合されてなることを特徴とするものである。
【発明の効果】
【００２２】
本発明は、特に土台が基礎に固定されたフランジと当該フランジに突設されたウェブとから断面逆Ｔ形状に形成され、ウェブに柱および筋違いの下端部が接合されているため、土台と基礎の対称軸が同一鉛直面内で重なるように土台を基礎の上に設置し、かつ土台の対称軸上を基礎に固定することにより、柱や筋違いからの引き抜き力や圧縮力による過大な偏心モーメントの発生を防止することができるため、構造的な面ですぐれている。
【００２３】
また、土台のウェブや柱の下端に形成されたスリットが、土台に柱や筋違いを接合する際の位置決めの役割も果すため、墨出し等の作業が不要になり、施工面でもすぐれている。
【００２４】
また、大引きは土台のフランジに接合ボルトと接合ナットによって接合し、柱は土台のウェブに接合ピンによって接合し、さらに筋かいは土台のウェブに釘またはビスによって接合してあるため、熟練をようする継手の加工を行わずに部材どうしを容易に接合することができる。
【００２５】
さらに、床下部分の土台と大引きに鋼材を用いることで、木材の欠点とされる経年変化による反り、ねじれ等の寸法上の狂いや腐朽、白蟻による食害を未然に防止することができる。
【００２６】
また、大引きの下フランジが断熱材で被覆されていることで、土台と大引きに鋼材を用いたことで問題になる熱橋（ヒートブリッジ）の問題も未然に防止することができ、特にこの問題が顕著な根太レス形式の床組構造に適している。なお、この場合の断熱材には硬質プラスチック系の断熱材を用いることができる。
【発明を実施するための最良の形態】
【００２７】
図１と図２は、本発明の一例を示し、布基礎１の上に土台２が敷設され、当該土台２に大引き３の一端部、柱４の下端部および筋違い５の下端部がそれぞれ接合されている。
【００２８】
土台２は基礎１の上にアンカーボルト６によって固定されたフランジ２ａと、当該フランジ２ａの上に鉛直に突設されたウェブ２ｂとから断面逆Ｔ形状に形成され、特にフランジ２ａの大引き３側の縁端部は大引き３側に延びて大引き３の端部を受ける大引き受け２ｃを形成している。
【００２９】
なお、この場合の土台２にはＴ形鋼、Ｈ形鋼をウェブのほぼ中間で切断してＴ形に形成されたもの、あるいは２枚の帯鋼を溶接してＴ形状に形成したもの等が用いられている。
【００３０】
また、土台２は基礎１の上に土台２と基礎１の対称軸が可能な限り同一鉛直面内で重なるように設置され、かつフランジ２ａの対称軸上で基礎１に固定されていることで、柱４からの引き抜き力や圧縮力によって過大な偏心モーメントが発生しないようになされている。さらに、基礎１と土台２との間には基礎パッキン７を介在され、基礎１と土台２との間に床下換気に必要な隙間が確保されている。
【００３１】
大引き３にはＨ形鋼が用いられ、当該大引き３の端部は土台２の大引き受け２ｃの上に載置され、かつ大引き受け２ｃに複数の接合ボルト８と接合ナット９によって接合されている。
【００３２】
この場合、接合ボルト８は大引き受け２ｃに当該大引き受け２ｃを貫通して上向きに突設され、かつ固定ナット９ａにより脱落しないように大引き受け２ｃに固定されている。さらに、接合ボルト８は大引き３の下フランジ３ａの端部を貫通して真上に突出し、この突出した雄ネジ部に固定ナット９が螺合されている。こうして、大引き３の端部は土台２に接合されている。
【００３３】
なお、大引き３の端部は、図１（ａ）に図示するように柱４の側部に突き合せた状態で接合されることもあることから、土台２のフランジ２ａの幅を柱４の幅より広くしてフランジ２ａの大引き側端部、すなわち大引き受け２ｃを充分な長さに突出しておくのが望ましい。
【００３４】
また、大引き３に特にＨ形鋼が用いられているのは、断面形状がウェブ軸に対して対称なため、ねじれに対する抵抗力が大きいためである。したがって、せん断中心がウェブ軸と異なる溝形鋼などは、Ｈ形鋼よりねじれに対する抵抗力が劣るため大引き３として望ましくないが、背合せに抱き合わせて用いることによりねじれの問題は解決することができる。
【００３５】
また、断面形状が２軸対称な角形鋼管は、大引き等の曲げ材としては最も有効な構造材であるが、閉断面で土台２との接合が非常に困難であることからこの場合の大引き３には適当でないと考える。
【００３６】
柱４には杉材などから形成された角材が用いられ、土台２の上に鉛直に建て付けられている。柱４の下端部にはスリット４ａと複数の接合孔４ｂが形成されている。スリット４ａは鉛直方向に所定深さに形成され、接合孔４ｂはスリット４ａと直交する方向に柱４の下端部を水平に貫通して形成されている。
【００３７】
そして、スリット４ａに土台２のウェブ２ｂが挿入され、かつ接合孔４ｂと当該結合孔４ｂに連続して形成されたウェブ２ｂの結合孔２ｄにドリフトピンやボルト等の接合ピン１０が挿入されている。こうして各柱４の下端部は土台２の上に接合されている。なお、特に図示しないが、柱４，４間に建て付けられる間柱の下端部も柱４の下端部と同様にして土台２に接合されている。
【００３８】
筋違い５には柱４と同じ杉材などからなる角材が用いられている。また、筋違い４の下端部は土台２のウェブ２ｂの一側部に斜めに添え付けられている。そして、ウェブ２ｂに形成された釘孔２ｅから筋違い５側に釘または木ねじ１１が打ち付けられている。こうして、筋違い５の下端部は土台２に接合されている。
【００３９】
図３と図４は、特にこうして構成された床組の上に床板を張って構成された床を示し、図３（ａ），（ｂ）の例では、大引き３の上に当該大引き３と直交する方向に複数の木根太１２が大引き３の軸方向に所定間隔おきに架け渡され、当該木根太１２の上に合板などからなる床板１３が取り付けられている。また、各木根太１２，１２間に断熱材１４が充填されていることで、大引き３にＨ形鋼材を用いたことによる熱損失を防いで床面の断熱性が確保さいる。こうして床軸組の上に床が構成されている。
【００４０】
また、図４（ａ），（ｂ）の例では、木根太がなく、大引き３の上に板厚２０ｍｍ程度の極厚合板からなる床板１５が取り付けられている。また、大引き３の下フランジおよびウェブの周囲に断熱材１４が取り付けられ、さらに床板１５の下全体に断熱材１６が取り付けられている。
【００４１】
この場合、大引き３の上に床板１５が直接取り付けられていることから、Ｈ形鋼からなる大引き３がいわゆる熱橋（ヒートブリッジ）となって床面の断熱性能が著しく損なわれるが、大引き３の下フランジおよびウェブの周囲に断熱材１４が取り付けられていることで、係る問題は解消されている。
【００４２】
なお、断熱材１４には特に硬質プラスチック系の断熱材が用いられ、また土台２の大引き受け２ｃに突設された接合ボルト９が貫通する部分には、いわゆるザクリ加工による孔１４ａが形成され、この孔１４ａ内で接合ボルト８の雄ねじ部に接合ナット９が締め付けられている。
【産業上の利用可能性】
【００４３】
本発明は土台と大引き、柱および筋違い間の位置決めと接合等を容易に行うことができて、土台周辺部位に要求される構造、施工、熱環境および品質等の条件を満足させた木造建築物を提供することができる。
【図面の簡単な説明】
【００４４】
【図１】基礎の上に敷設された土台と大引き、柱および筋違いとの接合部を示し、（ａ）は接合部の一部斜視図、（ｂ）は土台を示す一部斜視図、（ｃ）は土台と柱との接合部を示す分解斜視図である。
【図２】基礎の上に敷設された土台と大引き、柱および筋違いとの接合部を示し、（ａ）は大引きの材軸と直交する方向の断面図、（ｂ）は（ａ）におけるイ−イ線断面図、（ｃ）は（ａ）におけるロ−ロ線断面図、（ｄ）は土台と大引きの接合部を示す分解図である。
【図３】基礎の上に敷設された土台と大引き、柱および筋違いとの接合部を示し、（ａ）は土台の材軸と直交する方向の縦断面図、（ｂ）は大引きの材軸と直交する方向の縦断面図である。
【図４】基礎の上に敷設された土台と大引き、柱および筋違いとの接合部を示し、（ａ）は土台の材軸と直交する方向の縦断面図、（ｂ）は大引きの材軸と直交する方向の縦断面図、(ｃ)は断熱材が取り付けられた大引きの一部斜視図である。
【図５】従来の一般的な木造建築物の床組と軸組を示し、（ａ）はその一部斜視図、（ｂ）基礎の上に敷設された土台と土台および土台と柱との接合部を示す斜視図、（ｃ）土台と大引きとの接合部を示す斜視図、（ｄ）は土台と柱および筋違いとの接合部を示す斜視図である。
【図６】（ａ）はアルミ形材が併用された土台の使用例を示す一部斜視図、（ｂ）は溝形鋼からなる土台の使用例を示す一部斜視図である。
【符号の説明】
【００４５】
１  布基礎
２  土台
３  大引き
４  柱
５  筋違い
６  アンカーボルト
７  基礎パッキン
８  接合ボルト
９  接合ナット
１０  接合ピン
１１  釘または木ねじ
１２  木根太
１３  床板
１４  断熱材
１５  床板
【図１】
2007303133.tif 000003
【図２】
2007303133.tif 000004
【図３】
2007303133.tif 000005
【図４】
2007303133.tif 000006
【図５】
2007303133.tif 000007
【図６】
2007303133.tif 000008